(57)【要約】研磨工程において圧力を検出、制御、自動的に補償する方法が開示され、下記工程を含む：検出シャフトによって研磨ホイール（１０）と被研磨工作物（１１）との間の圧力を検出するか、又は前記検出シャフト上に生じたモーメントを検出し、検出した前記圧力又は前記モーメントを制御装置に出力するステップ（Ｓ１）；前記制御装置によって、前記検出シャフトが検出した前記圧力又は前記モーメントと、既定圧力又はモーメントとを比較し、前記検出シャフトが検出した前記圧力又は前記モーメントと、前記既定圧力又はモーメントとの間に差があるかどうかを決定するステップ（Ｓ２）；相違を一致させるため、前記制御装置によって、前記差に基づき、補償供給量を計算し、前記補償供給量に基づき、調節シャフト（１８）に調節信号を出力するステップ（Ｓ３）；前記調節信号に基づき、前記調節シャフト（１８）を相応に移動させ、これにより、前記研磨ホイール（１０）又は前記被研磨工作物（１１）を駆動して相応に移動させ、相違を保持するため、前記研磨ホイール（１０）と前記被研磨工作物（１１）との間の相対位置を調節するステップ（Ｓ４）。研磨工程において圧力を検出、制御、自動的に補償する方法は、研磨工程における研磨ホイールと被研磨工作物との間に安定な圧力を実現し、被研磨工作物（１１）の安定かつ一貫した品質を保証し、高精度及び高効率に対する要件に適合させる。【代表図】図１
2019509908.tif 000002
【特許請求の範囲】
【請求項１】
研磨工程において圧力を検出、制御、自動的に補償する方法であって、前記方法は、
検出シャフトによって研磨ホイールと被研磨工作物との間の圧力を検出するか、又は前記研磨ホイールと前記被研磨工作物との間の圧力によって前記検出シャフト上に生じたモーメントを検出し、検出した前記圧力又は前記モーメントを制御装置に出力するステップ；
前記制御装置によって、前記検出シャフトが検出した前記圧力又は前記モーメントと、既定圧力又はモーメントとを比較し、前記検出シャフトが検出した前記圧力又は前記モーメントと、前記既定圧力又はモーメントとの間に差があるかどうかを決定し、差がない場合、最後のステップを繰り返し、差がある場合、次のステップを実行するステップ；
前記制御装置によって、前記差に基づき、補償供給量を計算し、前記補償供給量に基づき、調節シャフトに調節信号を出力するステップ；
前記調節信号に基づき、前記調節シャフトを相応に移動させ、これにより、前記研磨ホイール又は前記被研磨工作物を駆動して相応に移動させ、前記研磨ホイールと前記被研磨工作物との間の相対位置を調節し、前記研磨ホイールと前記被研磨工作物との間の前記圧力、又は前記研磨ホイールと前記被研磨工作物との間の圧力によって前記検出シャフト上に生じた前記モーメントが、前記既定圧力又はモーメントに至るようにするか又は前記既定圧力又はモーメントとの一致を保持するようにするステップ；及び
前記研磨工程において、前記研磨ホイールと前記被研磨工作物との間の圧力を常に一定に保持するために、前記ステップを連続的に繰り返すステップ
を含む方法。
【請求項２】
前記差は、プラス差及びマイナス差を含む、請求項１に記載の研磨工程において圧力を検出、制御、自動的に補償する方法。
【請求項３】
前記研磨ホイールは、前記検出シャフトに固定され、前記固定シャフトは、前記調節シャフトに固定される、請求項２に記載の研磨工程において圧力を検出、制御、自動的に補償する方法。
【請求項４】
前記制御装置が、前記研磨ホイールと前記被研磨工作物との間にプラス差があることを決定した場合、前記制御装置は、前記プラス差に基づきマイナス補償供給量を計算し、前記計算したマイナス補償供給量に基づき前記調節シャフトに調節信号を出力し、前記調節シャフトは、前記調節信号に基づき前記被研磨工作物から遠ざかり、これにより、前記研磨ホイールを駆動して前記被研磨工作物から遠ざけ、前記研磨ホイールと前記被研磨工作物との間の相対位置を調節するようにする、請求項３に記載の研磨工程において圧力を検出、制御、自動的に補償する方法。
【請求項５】
前記制御装置が、前記研磨ホイールと前記被研磨工作物との間にマイナス差があることを決定した場合、前記制御装置は、前記マイナス差に基づきプラス補償供給量を計算し、前記計算したプラス補償供給量に基づき前記調節シャフトに調節信号を出力し、前記調節シャフトは、前記調節信号に基づき前記被研磨工作物に向かって移動し、これにより、前記研磨ホイールを駆動して前記被研磨工作物に向かって移動させ、前記研磨ホイールと前記被研磨工作物との間の相対位置を調節するようにする、請求項３に記載の研磨工程において圧力を検出、制御、自動的に補償する方法。
【請求項６】
前記研磨ホイールは、前記検出シャフトに固定され、前記被研磨工作物は、前記調節シャフトに固定される、請求項２に記載の研磨工程において圧力を検出、制御、自動的に補償する方法。
【請求項７】
前記制御装置が、前記研磨ホイールと前記被研磨工作物との間にプラス差があることを決定した場合、前記制御装置は、前記プラス差に基づきマイナス補償供給量を計算し、前記計算したマイナス補償供給量に基づき前記調節シャフトに調節信号を出力し、前記調節シャフトは、前記調節信号に基づき前記研磨ホイールから遠ざかり、これにより、前記被研磨工作物を駆動して前記研磨ホイールから遠ざけ、前記研磨ホイールと前記被研磨工作物との間の相対位置を調節するようにする、請求項６に記載の研磨工程において圧力を検出、制御、自動的に補償する方法。
【請求項８】
前記制御装置が、前記研磨ホイールと前記被研磨工作物との間にマイナス差があることを決定した場合、前記制御装置は、前記マイナス差に基づきプラス補償供給量を計算し、前記計算したプラス補償供給量に基づき前記調節シャフトに調節信号を出力し、前記調節シャフトは、前記調節信号に基づき前記研磨ホイールに向かって移動し、これにより、前記被研磨工作物を駆動して前記研磨ホイールに向かって移動させ、前記研磨ホイールと前記被研磨工作物との間の相対位置を調節するようにする、請求項６に記載の研磨工程において圧力を検出、制御、自動的に補償する方法。
【請求項９】
前記研磨ホイールは、前記調節シャフトに固定され、前記被研磨工作物は、前記検出シャフトに固定される、請求項２に記載の研磨工程において圧力を検出、制御、自動的に補償する方法。
【請求項１０】
前記制御装置が、前記研磨ホイールと前記被研磨工作物との間にプラス差があることを決定した場合、前記制御装置は、前記プラス差に基づきマイナス補償供給量を計算し、前記計算したマイナス補償供給量に基づき前記調節シャフトに調節信号を出力し、前記調節シャフトは、前記調節信号に基づき前記被研磨工作物から遠ざかり、これにより、前記研磨ホイールを駆動して前記被研磨工作物から遠ざけ、前記研磨ホイールと前記被研磨工作物との間の相対位置を調節するようにする、請求項９に記載の研磨工程において圧力を検出、制御、自動的に補償する方法。
【請求項１１】
前記制御装置が、前記研磨ホイールと前記被研磨工作物との間にマイナス差があることを決定した場合、前記制御装置は、前記マイナス差に基づきプラス補償供給量を計算し、前記計算したプラス補償供給量に基づき前記調節シャフトに調節信号を出力し、前記調節シャフトは、前記調節信号に基づき前記被研磨工作物に向かって移動し、これにより、前記研磨ホイールを駆動して前記被研磨工作物に向かって移動させ、前記研磨ホイールと前記被研磨工作物との間の相対位置を調節するようにする、請求項９に記載の研磨工程において圧力を検出、制御、自動的に補償する方法。
【請求項１２】
前記被研磨工作物は、前記検出シャフトに固定され、前記固定シャフトは、前記調節シャフトに固定される、請求項２に記載の研磨工程において圧力を検出、制御、自動的に補償する方法。
【請求項１３】
前記制御装置が、前記研磨ホイールと前記被研磨工作物との間にプラス差があることを決定した場合、前記制御装置は、前記プラス差に基づきマイナス補償供給量を計算し、前記計算したマイナス補償供給量に基づき前記調節シャフトに調節信号を出力し、前記調節シャフトは、前記調節信号に基づき前記研磨ホイールから遠ざかり、これにより、前記被研磨工作物を駆動して前記研磨ホイールから遠ざけ、前記研磨ホイールと前記被研磨工作物との間の相対位置を調節するようにする、請求項１２に記載の研磨工程において圧力を検出、制御、自動的に補償する方法。
【請求項１４】
前記制御装置が、前記研磨ホイールと前記被研磨工作物との間にマイナス差があることを決定した場合、前記制御装置は、前記マイナス差に基づきプラス補償供給量を計算し、前記計算したプラス補償供給量に基づき前記調節シャフトに調節信号を出力し、前記調節シャフトは、前記調節信号に基づき前記研磨ホイールに向かって移動し、これにより、前記被研磨工作物を駆動して前記研磨ホイールに向かって移動させ、前記研磨ホイールと前記被研磨工作物との間の相対位置を調節するようにする、請求項１２に記載の研磨工程において圧力を検出、制御、自動的に補償する方法。
【請求項１５】
前記検出シャフトは、力センサ又はモーメント・センサであるセンサを備える、請求項１に記載の研磨工程において圧力を検出、制御、自動的に補償する方法。
【発明の詳細な説明】
【技術分野】
【０００１】
本発明は、研磨機器の研磨工程において圧力を検出、制御、自動的に補償する方法に関する。
【背景技術】
【０００２】
製造工程において、軍用品、工業製品及び民生製品を含め、大型の航空宇宙構成部品及び自動車成形品から小型の装飾片に及ぶ工作物の研磨に対し、多大な要求がある。研磨工程において、機械加工品質に影響を与える要素には、研削ホイールと工作物との間の直接圧力、研削ホイールが工作物と接触している際の研削ホイールの稼動速度、研削ホイール及び工作物の材料特性、機械加工工程及び適切な工程パラメータ、元の工作物の粘稠度、並びに機械加工機器の安定度を含む。明らかに、重要であるのは、研削ホイールと工作物との間の直接圧力、及び機械加工工程において研削ホイールが工作物と接触している際の研削ホイールの稼働速度を一定に保持することである。安定した圧力及び速度により、工作物の機械加工品質を安定かつ一貫したものにし、適切な圧力及び速度により、機械加工の精度及び効率を保証することができる。
【０００３】
現在、工作物の大部分は、研磨機器によって手作業で研磨されている。労働環境は厳しく、労働強度は高く、時として、爆燃及び人の負傷に対する危険があり、多くの場合、機械加工精度、安定した品質及び高効率に対する要件に適合させることができない。というのは、主に、手作業は、研削ホイールと工作物との間の圧力を検出、自動的に制御、補償することができないためである。
【０００４】
市場には、いくつかの自動研磨機器もある。こうした自動研磨機器は、研削ホイールのモータ周波数変換器の帰還電流を主に検出することによって、研削ホイールと工作物との間の圧力を調節する。こうした自動研磨機器は、以下の主要な欠点を有する：（１）研削ホイール・モータの電流は、研削ホイールと工作物との間の圧力を反映する独立変数ではない。この変数は、研削ホイールの特性との大きな相関関係を有する（研削ホイールの質量均一性、動的平衡特性及び丸さ、並びに片持ち機構の擾乱等）。（２）研削ホイールが周波数変換器による制御を採用しているため、研削ホイール・モータの回転速度は、研削ホイールが工作物と接触した（即ち、圧力が研削ホイールと工作物との間に生じた）瞬間に変化する（低下する）。周波数変換器は、モータの回転速度を上昇させるため、周波数、電圧及び電流を自動的に調節する。この瞬間、モータの電流は、工作物と研削ホイールとの間の圧力を単独で反映することができないため、この電流を標的変数として使用して圧力を制御するには明らかに妥当でない、少なくとも適切ではない。
【発明の概要】
【発明が解決しようとする課題】
【０００５】
本発明の目的は、上記の手作業の弱点及び不能なこと並びに従来技術の欠陥を克服し、研磨工程において圧力を検出、制御、自動的に補償する方法を提供することであり、この方法は、研磨工程において研削ホイールと工作物との間の圧力の検出、制御、及び自動的な補償を実現することができ、精度、機械加工品質の安定度及び一貫性に対する要件、並びに効率的な作業に適合させる。
【課題を解決するための手段】
【０００６】
本発明によって提供される、研磨工程において圧力を検出、制御、自動的に補償する方法は、
検出シャフトによって研磨ホイールと被研磨工作物との間の圧力を検出するか、又は研磨ホイールと被研磨工作物との間の圧力によって検出シャフト上に生じたモーメントを検出し、検出した圧力又はモーメントを制御装置に出力するステップ；
制御装置によって、検出シャフトが検出した圧力又はモーメントと、既定圧力又はモーメントとを比較し、検出シャフトが検出した圧力又はモーメントと、既定圧力又はモーメントとの間に差があるかどうかを決定し、差がない場合、最後のステップを繰り返し、差がある場合、次のステップを実行するステップ；
制御装置によって、差に基づき、補償供給量を計算し、補償供給量に基づき、調節シャフトに調節信号を出力するステップ；
調節信号に基づき、調節シャフトを相応に移動させ、これにより、研磨ホイール又は被研磨工作物を駆動して相応に移動させ、研磨ホイールと被研磨工作物との間の相対位置を調節するようにし、研磨ホイールと被研磨工作物との間の圧力、又は研磨ホイールと被研磨工作物との間の圧力によって検出シャフト上に生じたモーメントが、上記既定圧力又はモーメントに至るようにするか又は既定圧力又はモーメントとの一致を保持するようにするステップ；及び
研磨工程において、研磨ホイールと被研磨工作物との間の圧力を常に一定に保持するために、上記のステップを連続的に繰り返すステップ
を含む。
【０００７】
更に、差は、プラス差及びマイナス差を含む。
【０００８】
更に、研磨ホイールを検出シャフトに固定し、検出シャフトを調節シャフトに固定する。
【０００９】
更に、制御装置が、研磨ホイールと被研磨工作物との間にプラス差があることを決定した場合、制御装置は、プラス差に基づきマイナス補償供給量を計算し、計算したマイナス補償供給量に基づき調節シャフトに調節信号を出力し、調節シャフトは、調節信号に基づき被研磨工作物から遠ざかり、これにより、研磨ホイールを駆動して被研磨工作物から遠ざけ、研磨ホイールと被研磨工作物との間の相対位置を調節するようにする。
【００１０】
更に、制御装置が、研磨ホイールと被研磨工作物との間にマイナス差があることを決定した場合、制御装置は、マイナス差に基づきプラス補償供給量を計算し、計算したプラス補償供給量に基づき調節シャフトに調節信号を出力し、調節シャフトは、調節信号に基づき被研磨工作物に向かって移動し、これにより、研磨ホイールを駆動して被研磨工作物に向かって移動させ、研磨ホイールと被研磨工作物との間の相対位置を調節するようにする。
【００１１】
更に、研磨ホイールを検出シャフトに固定し、被研磨工作物を調節シャフトに固定する。
【００１２】
更に、制御装置が、研磨ホイールと被研磨工作物との間にプラス差があることを決定した場合、制御装置は、プラス差に基づきマイナス補償供給量を計算し、計算したマイナス補償供給量に基づき調節シャフトに調節信号を出力し、調節シャフトは、調節信号に基づき研磨ホイールから遠ざかり、これにより、被研磨工作物を駆動して研磨ホイールから遠ざけ、研磨ホイールと被研磨工作物との間の相対位置を調節するようにする。
【００１３】
更に、制御装置が、研磨ホイールと被研磨工作物との間にマイナス差があることを決定した場合、制御装置は、マイナス差に基づきプラス補償供給量を計算し、計算したプラス補償供給量に基づき調節シャフトに調節信号を出力し、調節シャフトは、調節信号に基づき研磨ホイールに向かって移動し、これにより、被研磨工作物を駆動して研磨ホイールに向かって移動させ、研磨ホイールと被研磨工作物との間の相対位置を調節するようにする。
【００１４】
更に、研磨ホイールを調節シャフトに固定し、被研磨工作物を検出シャフトに固定する。
【００１５】
更に、制御装置が、研磨ホイールと被研磨工作物との間にプラス差があることを決定した場合、制御装置は、プラス差に基づきマイナス補償供給量を計算し、計算したマイナス補償供給量に基づき調節シャフトに調節信号を出力し、調節シャフトは、調節信号に基づき被研磨工作物から遠ざかり、これにより、研磨ホイールを駆動して被研磨工作物から遠ざけ、研磨ホイールと被研磨工作物との間の相対位置を調節するようにする。
【００１６】
更に、制御装置が、研磨ホイールと被研磨工作物との間にマイナス差があることを決定した場合、制御装置は、マイナス差に基づきプラス補償供給量を計算し、計算したプラス補償供給量に基づき調節シャフトに調節信号を出力し、調節シャフトは、調節信号に基づき被研磨工作物に向かって移動し、これにより、研磨ホイールを駆動して被研磨工作物に向かって移動させ、研磨ホイールと被研磨工作物との間の相対位置を調節するようにする。
【００１７】
更に、被研磨工作物を検出シャフトに固定し、検出シャフトを調節シャフトに固定する。
【００１８】
更に、制御装置が、研磨ホイールと被研磨工作物との間にプラス差があることを決定した場合、制御装置は、プラス差に基づきマイナス補償供給量を計算し、計算したマイナス補償供給量に基づき調節シャフトに調節信号を出力し、調節シャフトは、調節信号に基づき研磨ホイールから遠ざかり、これにより、被研磨工作物を駆動して研磨ホイールから遠ざけ、研磨ホイールと被研磨工作物との間の相対位置を調節するようにする。
【００１９】
更に、制御装置が、研磨ホイールと被研磨工作物との間にマイナス差があることを決定した場合、制御装置は、マイナス差に基づきプラス補償供給量を計算し、計算したプラス補償供給量に基づき調節シャフトに調節信号を出力し、調節シャフトは、調節信号に基づき研磨ホイールに向かって移動し、これにより、被研磨工作物を駆動して研磨ホイールに向かって移動させ、研磨ホイールと被研磨工作物との間の相対位置を調節するようにする。
【００２０】
更に、検出シャフトは、力センサ又はモーメント・センサであるセンサを備える。
【００２１】
本発明は、検出シャフトを使用し、研磨ホイールと被研磨工作物との間の圧力を検出するか、又は研磨ホイールと被研磨工作物との間の圧力によって検出シャフト上に生じたモーメントを検出し、制御装置を使用して圧力又はモーメントを制御し、調節シャフトを使用して研磨ホイールと被研磨工作物との間の圧力を自動的に補償する。研磨ホイールの回転速度が一定である場合、本発明は、研磨工程における研磨ホイールと被研磨工作物との間に安定な圧力を実現し、研磨ホイールが摩耗した場合、研磨工程における自動補償を実現することもでき、これにより、被研磨工作物の安定かつ一貫した機械加工品質を保証し、高精度及び高効率に対する要件に適合させる。
【図面の簡単な説明】
【００２２】
【図１】本発明によって提供される、研磨工程において圧力を検出、制御、自動的に補償する方法の流れ図である。
【図２】本発明の第１の実施形態によって提供される、研磨ホイール、検出シャフト、調節シャフト及び被研磨工作物の位置の概略図である。
【図３】図２に示す検出シャフトの圧力検出の概略図である。
【図４】図２に示す検出シャフトが検出したモーメントと既定モーメントとの間の差がマイナス差である場合の移動の概略図である。
【図５】図２に示す検出シャフトが検出したモーメントと既定モーメントとの間の差がプラス差である場合の移動の概略図である。
【図６】本発明の第２の実施形態によって提供される、研磨ホイール、検出シャフト、調節シャフト及び被研磨工作物の位置の概略図である。
【図７】本発明の第３の実施形態によって提供される、研磨ホイール、検出シャフト、調節シャフト及び被研磨工作物の位置の概略図である。
【図８】本発明の第４の実施形態によって提供される、研磨ホイール、検出シャフト、調節シャフト及び被研磨工作物の位置の概略図である。
【発明を実施するための形態】
【００２３】
添付の図面及び実施形態を参照することによって、本発明を以下で更に説明する。
【００２４】
図１に示すように、本発明によって提供される、研磨工程において圧力を検出、自動的に制御、補償する方法は、以下のステップを含む：
Ｓ１：検出シャフトは、研磨ホイールと被研磨工作物との間の圧力を検出するか、又は研磨ホイールと被研磨工作物との間の圧力によって検出シャフト上に生じたモーメントを検出し、検出した圧力又はモーメントを制御装置に出力する。制御装置は、ＰＬＣ制御装置、ＰＩＤ制御装置、ファジー制御装置、又はあらゆる他の制御装置とすることができる。本実施形態では、制御装置はＰＬＣ制御装置である。
Ｓ２：制御装置は、検出シャフトが検出した圧力又はモーメントと、既定圧力又はモーメントとを比較し、検出シャフトが検出した圧力又はモーメントと、既定圧力又はモーメントとの間に差があるかどうかを決定し、差がない場合、最後のステップを繰り返し、差がある場合、次のステップを実行する。差は、プラス差及びマイナス差を含む。
Ｓ３：制御装置は、差に基づき、補償供給量を計算し、補償供給量に基づき、調節シャフトに調節信号を出力する。
Ｓ４：調節シャフトは、調節信号に基づき相応に移動し、これにより、研磨ホイール又は被研磨工作物を駆動して相応に移動させ、研磨ホイールと被研磨工作物との間の相対位置を調節し、研磨ホイールと被研磨工作物との間の圧力、又は研磨ホイールと被研磨工作物との間の圧力によって検出シャフト上に生じたモーメントが、既定圧力若しくはモーメントに至るようにするか又は既定圧力若しくははモーメントとの一致を保持するようにする。
Ｓ５：研磨工程において、上記のステップを連続的に繰り返すことにより、研磨ホイールと被研磨工作物との間の圧力を常に一定に保持することができる。
【００２５】
本発明によって提供される、研磨工程において圧力を検出、制御、自動的に補償する方法は、携帯電話、時計、ポット、食卓用食器類、衛生用品及び成形品等、様々な種類の規則的及び不規則な工作物に対する研磨に適用可能である。本方法は、高度の自動化を有し、多くの人的労力を節約し、オペレータの労働環境及び労働強度を著しく向上させることができる。工作物の機械加工品質は、安定かつ一貫しており、機械加工効率が上昇する。
【００２６】
本発明によって提供される、研磨工程において圧力を検出、制御、自動的に補償する方法を以下で詳細に説明する。
【００２７】
実施形態１
図２に示すように、本実施形態では、研磨ホイール１０の基部１２を検出シャフト１３に固定し、検出シャフト１３の中心が、基部１２の中心と同じ垂直線上にあり、研磨ホイール１０の中心と同じ垂直平面上にあるようにする。言い換えれば、研磨ホイール１０は検出シャフトに固定されている。研磨ホイール１０は、研削ホイールとすることができる。被研磨工作物１１を研磨位置２２に固定し、被研磨工作物１１の中心が研磨ホイール１０の中心と同じ水平線上にあるようにする。調節シャフト１８は、検出シャフト１３に固定する。調節シャフト１８は、本体１９、本体１９上に配置した結合部２０、及び結合部２０に固定した駆動部２１を備える。駆動部２１は、制御装置が出力する調節信号を受信し、本体１９を駆動して相応に移動させる。
【００２８】
図３に示すように、検出シャフト１３は、本体１４、親ねじ１５、結合部１６及びセンサ１７を備える。親ねじ１５の一方の端部を本体１４の中間部に組み付け、もう一方の端部を基部１２の底部の中間部に組み付ける。結合部１６は、本体１４に組み付け、センサ１７は、結合部１６に組み付ける。センサ１７は力センサである。当然、センサ１７はモーメント・センサであってもよい。検出シャフト１３は、研磨ホイール１０と被研磨工作物１１との間の圧力を検出するか、又は研磨ホイール１０と被研磨工作物１１との間の圧力によって検出シャフト上に生じたモーメントを検出し、以下の原理に従う。被研磨工作物１１が研磨ホイール１０に接触すると、圧力Ｆが生じる。てこの原理により、同じ力Ｆ又はモーメントＭが検出シャフト１３上に生じる。力センサ又はモーメント・センサは、力Ｆ又はモーメントＭを検出することができる。モーメントＭは、以下の方法によって計算される：研磨ホイール１０と被研磨工作物１１との間の接触点から検出シャフト１３の中心までの垂直距離がＨであると仮定すると、モーメントＭ＝ＦＸＨである。てこの原理の適用により、検出シャフト１３は、研磨ホイール１０と被研磨工作物１１との間の圧力を検出するか、又は研磨ホイール１０と被研磨工作物１１との間の圧力によって検出シャフト１３上に生じたモーメントを検出することができる。明らかに、モーメントの検出がより正確であり、反応速度はより速い。
【００２９】
図４に示すように、検出シャフト１３による、研磨ホイール１０と被研磨工作物１１との間の圧力によって検出シャフト１３上に生じたモーメントの検出を一例として取り上げる。既定モーメントＭ０が５％であり、接触前の研磨ホイール１０と被研磨工作物１１との間の圧力Ｆが０であると仮定すると、圧力Ｆ＝０に従って、検出シャフト１３は、研磨ホイール１０と被研磨工作物１１との間の圧力によって検出シャフト１３上に生じたモーメントＭ１が０であることを検出する。制御装置は、検出シャフト１３によって検出したモーメントＭ１＝０と、既定モーメントＭ０＝５％とを比較し、研磨ホイール１０と被研磨工作物１１との間にマイナス差があることを決定し、これにより、制御装置は、マイナス差に基づきプラス補償供給量を計算し、プラス計算した補償供給量に基づき調節シャフト１８に調節信号を出力し、調節シャフト１８は、調節信号に基づき被研磨工作物１１に向かって移動し、これにより、研磨ホイール１０を駆動して被研磨工作物１１に向かって移動させ、研磨ホイール１０と被研磨工作物１１との間の相対位置を調節するようにする。工程において、調節シャフト１８が研磨ホイール１０を駆動して移動させた場合、研磨ホイール１０と被研磨工作物１１との間の圧力Ｆは漸増し、この圧力Ｆによって検出シャフト１３上に生じた実際のモーメントＭ１は、モーメントＭ１が既定モーメントＭ０に達するまで、即ち、モーメントＭ１が５％に達するまで漸増する。
【００３０】
検出シャフト１３が、研磨ホイール１０と被研磨工作物１１との間の圧力Ｆによって検出シャフト１３上に生じたモーメントＭ２が２％であることを検出したと仮定すると、制御装置は、検出シャフト１３によって検出したモーメントＭ２＝２％と、既定モーメントＭ０＝５％とを比較し、研磨ホイール１０と被研磨工作物１１との間にマイナス差があることを決定し、これにより、制御装置は、マイナス差に基づきプラス補償供給量を継続的に計算し、計算したプラス補償供給量に基づき調節シャフト１８に調節信号を継続的に出力し、調節シャフト１８は、調節信号に基づき被研磨工作物１１に向かって継続的に移動し、これにより、研磨ホイール１０を駆動して被研磨工作物１１に向かって継続的に移動させ、研磨ホイール１０と被研磨工作物１１との間の圧力Ｆによって検出シャフト１３上に生じたモーメントＭ２が既定モーメントＭ０と同じになるまで、即ち、モーメントＭ２が５％に達するまで、研磨ホイール１０と被研磨工作物１１との間の相対位置を調節するようにする。
【００３１】
図５に示すように、既定モーメントＭ０が５％であり、研磨工程における研磨ホイール１０と被研磨工作物１１との間の圧力ＦがＦ１であると更に仮定すると、圧力Ｆ＝Ｆ１に従って、検出シャフト１３は、研磨ホイール１０と被研磨工作物１１との間の圧力Ｆ１によって検出シャフト１３上に生じたモーメントＭ３が６％であることを検出する。制御装置は、検出シャフト１３によって検出したモーメントＭ３＝６％と、既定モーメントＭ０＝５％とを比較し、研磨ホイール１０と被研磨工作物１１との間にプラス差があることを決定し、これにより、制御装置は、プラス差に基づきマイナス補償供給量を計算し、計算したマイナス補償供給量に基づき調節シャフト１８に調節信号を出力し、調節シャフト１８は、調節信号に基づき被研磨工作物１１から遠ざかり、これにより、研磨ホイール１０を駆動して被研磨工作物１１から遠ざけ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆ１は漸減し、この圧力Ｆ１によって検出シャフト１３上に生じたモーメントＭ３は、モーメントＭ３が既定モーメントＭ０に達するまで、即ち、モーメントＭ３が５％に達するまで漸減する。
【００３２】
研磨ホイール１０と被研磨工作物１１との間の圧力が変動する場合、研磨ホイール１０と被研磨工作物１１との間の圧力によって検出シャフト１３上に生じたモーメントも変動することになる。研磨ホイール１０と被研磨工作物１１との間の上記圧力を調節した後、研磨ホイール１０と被研磨工作物１１との間の圧力が変動し、Ｆ２になり、検出シャフト１３が、研磨ホイール１０と被研磨工作物１１との間の圧力Ｆ２によって検出シャフト１３上に生じたモーメントＭ４が４％であることを検出したと仮定する。制御装置は、検出シャフト１３によって検出したモーメントＭ４＝４％と、既定モーメントＭ０＝５％とを比較し、研磨ホイール１０と被研磨工作物１１との間にマイナス差があることを決定し、これにより、制御装置は、マイナス差に基づきプラス補償供給量を計算し、計算したプラス補償供給量に基づき調節シャフト１８に調節信号を出力し、調節シャフト１８は、調節信号に基づき被研磨工作物１１に向かって移動し、これにより、研磨ホイール１０を駆動して被研磨工作物１１に向かって移動させ、研磨ホイール１０と被研磨工作物１１との間の圧力Ｆ２によって検出シャフト１３上に生じたモーメントＭ４が既定モーメントＭ０と同じになるまで、即ち、モーメントＭ４が５％に達するまで、研磨ホイール１０と被研磨工作物１１との間の相対位置を調節するようにする。
【００３３】
研磨工程において、上述のステップの連続的な繰り返しにより、研磨ホイール１０と被研磨工作物１１との間の圧力によって検出シャフト１３上に生じたモーメントを既定モーメントと常時同じに保持する、言い換えると、研磨ホイール１０と被研磨工作物１１との間の圧力を一定に保持することができる。
【００３４】
実施形態２
図６に示すように、本実施形態は、第１の実施形態とは以下の差を有する：研磨位置２２を調節シャフト１８に固定する、即ち、被研磨工作物１１を調節シャフト１８に固定する。以下、差を２つの例で説明する。第１に、制御装置が決定した差は、プラス差であり、第２に、制御装置が決定した差は、マイナス差である。
【００３５】
また、検出シャフト１３による、研磨ホイール１０と被研磨工作物１１との間の圧力によって検出シャフト１３上に生じたモーメントの検出を一例として取り上げる。既定モーメントＭ０が５％であり、接触前の研磨ホイール１０と被研磨工作物１１との間の圧力Ｆが０であると仮定すると、圧力Ｆ＝０に従って、検出シャフト１３は、研磨ホイール１０と被研磨工作物１１との間の圧力によって検出シャフト１３上に生じたモーメントＭ１が０であることを検出する。制御装置は、検出シャフト１３によって検出したモーメントＭ１＝０と、既定モーメントＭ０＝５％とを比較し、研磨ホイール１１と被研磨工作物１０との間にマイナス差があることを決定し、これにより、制御装置は、マイナス差に基づきプラス補償供給量を計算し、計算したプラス補償供給量に基づき調節シャフト１８に調節信号を出力し、調節シャフト１８は、調節信号に基づき研磨ホイール１０に向かって移動し、これにより、被研磨工作物１０を駆動して研磨ホイール１１に向かって移動させ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆは漸増し、この圧力Ｆによって検出シャフト１３上に生じた実際のモーメントＭ１は、モーメントＭ１が既定モーメントＭ０に達するまで、即ち、モーメントＭ１が５％に達するまで漸増する。
【００３６】
既定モーメントＭ０が５％であり、研磨工程における研磨ホイール１０と被研磨工作物１１との間の圧力ＦがＦ１であると更に仮定すると、圧力Ｆ＝Ｆ１に従って、検出シャフト１３は、研磨ホイール１０と被研磨工作物１１との間の圧力Ｆ１によって検出シャフト１３上に生じたモーメントＭ３が６％であることを検出する。制御装置は、検出シャフト１３によって検出したモーメントＭ３＝６％と、既定モーメントＭ０＝５％とを比較し、研磨ホイール１１と被研磨工作物１０との間にプラス差があることを決定し、これにより、制御装置は、プラス差に基づきマイナス補償供給量を計算し、計算したマイナス補償供給量に基づき調節シャフト１８に調節信号を出力し、調節シャフト１８は、調節信号に基づき研磨ホイール１０から遠ざかり、これにより、被研磨工作物１１を駆動して研磨ホイール１０から遠ざけ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆ１は漸減し、この圧力Ｆによって検出シャフト１３上に生じた実際のモーメントＭ３は、モーメントＭ３が既定モーメントＭ０に達するまで、即ち、モーメントＭ３が５％に達するまで漸減する。
【００３７】
実施形態３
図７に示すように、本実施形態は、第１の実施形態とは以下の差を有する：研磨ホイール１０の基部１２を調節シャフト１８に固定する、即ち、研磨ホイール１０を調節シャフト１８に固定する。研磨位置２２を検出シャフト１３に固定する、即ち、被研磨工作物１１を検出シャフト１３に固定する。被研磨工作物１１の中心及び検出シャフト１３の中心は、同じ垂直平面上にある。検出シャフト１３は、第１の実施形態で採用したものと同じ原理に従って、研磨ホイール１０と被研磨工作物１１との間の圧力又はモーメントを検出するため、再度説明しない。以下、本実施形態を２つの例で説明する。第１に、制御装置が決定した差は、プラス差であり、第２に、制御装置が決定した差は、マイナス差である。
【００３８】
また、検出シャフト１３による、研磨ホイール１０と被研磨工作物１１との間の圧力によって検出シャフト１３上に生じたモーメントの検出を一例として取り上げる。既定モーメントＭ０が５％であり、接触前の研磨ホイール１０と被研磨工作物１１との間の圧力Ｆが０であると仮定すると、圧力Ｆ＝０に従って、検出シャフト１３は、研磨ホイール１０と被研磨工作物１１との間の圧力によって検出シャフト１３上に生じたモーメントＭ１が０であることを検出する。制御装置は、検出シャフト１３によって検出したモーメントＭ１＝０と、既定モーメントＭ０＝５％とを比較し、研磨ホイール１０と被研磨工作物１１との間にマイナス差があることを決定し、これにより、制御装置は、マイナス差に基づきプラス補償供給量を計算し、計算したプラス補償供給量に基づき調節シャフト１８に調節信号を出力し、調節シャフト１８は、調節信号に基づき被研磨工作物１１に向かって移動し、これにより、研磨ホイール１０を駆動して被研磨工作物１１に向かって移動させ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆは漸増し、この圧力Ｆによって検出シャフト１３上に生じた実際のモーメントＭ１は、モーメントＭ１が既定モーメントＭ０に達するまで、即ち、モーメントＭ１が５％に達するまで漸増する。
【００３９】
既定モーメントＭ０が５％であり、研磨工程における研磨ホイール１０と被研磨工作物１１との間の圧力ＦがＦ１であると更に仮定すると、圧力Ｆ＝Ｆ１に従って、検出シャフト１３は、研磨ホイール１０と被研磨工作物１１との間の圧力Ｆ１によって検出シャフト１３上に生じたモーメントＭ３が６％であることを検出する。制御装置は、検出シャフト１３によって検出したモーメントＭ３＝６％と、既定モーメントＭ０＝５％とを比較し、研磨ホイール１０と被研磨工作物１１との間にプラス差があることを決定し、これにより、制御装置は、プラス差に基づきマイナス補償供給量を計算し、計算したマイナス補償供給量に基づき調節シャフト１８に調節信号を出力し、調節シャフト１８は、調節信号に基づき被研磨工作物１１から遠ざかり、これにより、研磨ホイール１０を駆動して被研磨工作物１１から遠ざけ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆ１は漸減し、この圧力Ｆ１によって検出シャフト１３上に生じた実際のモーメントＭ３は、モーメントＭ３が既定モーメントＭ０に達するまで、即ち、モーメントＭ３が５％に達するまで漸減する。
【００４０】
実施形態４
図８に示すように、本実施形態は、第１の実施形態とは以下の差を有する：研磨位置２２を検出シャフト１３に固定する、即ち、被研磨工作物１１を検出シャフト１３に固定し、被研磨工作物１１の中心及び検出シャフト１３の中心は、同じ垂直平面上にある。検出シャフト１３を調節シャフト１８に固定する。検出シャフト１３は、第１の実施形態で採用したものと同じ原理に従って、研磨ホイール１０と被研磨工作物１１との間の圧力を検出するか、又は研磨ホイール１０と被研磨工作物１１との間の圧力によって検出シャフト１３上に生じたモーメントを検出するため、再度説明しない。以下、本実施形態を２つの例で説明する。第１に、制御装置が決定した差は、プラス差であり、第２に、制御装置が決定した差は、マイナス差である。
【００４１】
また、検出シャフト１３による、研磨ホイール１０と被研磨工作物１１との間の圧力によって検出シャフト１３上に生じたモーメントの検出を一例として取り上げる。既定モーメントＭ０が５％であり、接触前の研磨ホイール１０と被研磨工作物１１との間の圧力Ｆが０であると仮定すると、圧力Ｆ＝０に従って、検出シャフト１３は、研磨ホイール１０と被研磨工作物１１との間の圧力によって検出シャフト１３上に生じたモーメントＭ１が０であることを検出する。制御装置は、検出シャフト１３によって検出したモーメントＭ１＝０と、既定モーメントＭ０＝５％とを比較し、研磨ホイール１１と被研磨工作物１０との間にマイナス差があることを決定し、これにより、制御装置は、マイナス差に基づきプラス補償供給量を計算し、計算したプラス補償供給量に基づき調節シャフト１８に調節信号を出力し、調節シャフト１８は、調節信号に基づき研磨ホイール１０に向かって移動し、これにより、被研磨工作物１０を駆動して研磨ホイール１１に向かって移動させ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆは漸増し、この圧力Ｆによって検出シャフト１３上に生じた実際のモーメントＭ１は、モーメントＭ１が既定モーメントＭ０に達するまで、即ち、モーメントＭ１が５％に達するまで漸増する。
【００４２】
既定モーメントＭ０が５％であり、研磨工程における研磨ホイール１０と被研磨工作物１１との間の圧力ＦがＦ１であると更に仮定すると、圧力Ｆ＝Ｆ１に従って、検出シャフト１３は、研磨ホイール１０と被研磨工作物１１との間の圧力Ｆ１によって検出シャフト１３上に生じたモーメントＭ３が６％であることを検出する。制御装置は、検出シャフト１３によって検出したモーメントＭ３＝６％と、既定モーメントＭ０＝５％とを比較し、研磨ホイール１１と被研磨工作物１０との間にプラス差があることを決定し、これにより、制御装置は、プラス差に基づきマイナス補償供給量を計算し、計算したマイナス補償供給量に基づき調節シャフト１８に調節信号を出力し、調節シャフト１８は、調節信号に基づき研磨ホイール１０から遠ざかり、これにより、被研磨工作物１１を駆動して研磨ホイール１０から遠ざけ、研磨ホイール１０と被研磨工作物１１との間の相対位置を調節するようにする。工程において、調節シャフト１８が研磨ホイール１０を駆動して移動させる場合、研磨ホイール１０と被研磨工作物１１との間の圧力Ｆ１は漸減し、この圧力Ｆ１によって検出シャフト１３上に生じた実際のモーメントＭ３は、モーメントＭ３が既定モーメントＭ０に達するまで、即ち、モーメントＭ３が５％に達するまで漸減する。
【００４３】
要約すると、てこの原理の適用によって、本発明は、検出シャフト１３を使用して研磨ホイール１０と被研磨工作物１１との間の圧力を検出するか、又は研磨ホイール１０と被研磨工作物１１との間の圧力によって検出シャフト１３上に生じたモーメントを検出し、制御装置を使用して圧力又はモーメントを制御し、調節シャフト１８を使用して研磨ホイール１０と被研磨工作物１１との間の圧力を自動的に補償する。研磨ホイール１０の回転速度が一定である場合、本発明は、研磨工程における研磨ホイール１０と被研磨工作物１１との間に安定な圧力を実現し、研磨ホイール１０が摩耗した場合、研磨工程における自動補償を実現することもでき、これにより、被研磨工作物１１の安定かつ一貫した機械加工品質を保証し、高精度及び高効率に対する要件に適合させる。
【００４４】
上記の実施形態は、本発明の好ましい実施形態を表すにすぎない。したがって、上記の実施形態の説明は、具体的で詳細であるが、本発明特許の範囲に対する限定として理解されないものとする。当業者は、本発明の趣旨から逸脱することなく、実施形態の異なる特徴の組合せ等、様々な変更及び修正を実施形態に行い得ることを留意されたい。これらは全て本発明の保護範囲内にあるものとする。
【図１】
2019509908.tif 000003
【図２】
2019509908.tif 000004
【図３】
2019509908.tif 000005
【図４】
2019509908.tif 000006
【図５】
2019509908.tif 000007
【図６】
2019509908.tif 000008
【図７】
2019509908.tif 000009
【図８】
2019509908.tif 000010
【国際調査報告】
2019509908.tif 000011
2019509908.tif 000012
2019509908.tif 000013
2019509908.tif 000014